(57)【要約】【目的】  ミニボーリングゲーム等における装置において、起立していたピンが転倒した場合に、ピンを容易に起立させることが可能な転倒ピンの起立装置並びにその装置を応用した遊具を提供することを目的とする。【解決手段】  転倒ピンの起立装置は、基台の穴を有する基台と、基台の上部に配置された中空のピンと、中空のピンの底部に固定された一端に錘を固定した紐と、基台と錘の間には紐を通す穴部を有する押し下げ板を有している。さらには、レバーを有し、レバーの操作により押し下げ板を上下させる機構を有している。又、本発明の遊具は、細長い基台の長手方向の一方の端に支柱を設け、支柱上部より基台面に向けて斜面状に設置され、支柱上部に左右方向への回動自在に固定した概Ｕ字形状の発射部を有し、細長い基台の長手方向の他方の端には前記説明した転倒ピンの起立装置を有している。【選択図】図１
2008126027.tif 000002
【特許請求の範囲】
【請求項１】
基台の穴２を有する基台１と、基台１の上部に配置された中空のピン３と、中空のピンの底部４に固定された一端に錘６を固定したワイヤー５と、基台１と錘６の間にはワイヤー５を通す穴部８を有する押し下げ板７を有することを特徴とする転倒ピンの起立装置。
【請求項２】
複数の基台の穴２を有する１枚の基台１と、基台１の上部に配置された複数の中空のピン３と、複数の中空のピン３のそれぞれの底部４に固定された一端に錘６を固定したワイヤー５と、基台１と錘６の間にはワイヤー５を通す複数の穴部８を有する一枚の押し下げ板７を有することを特徴とする転倒ピンの起立装置。
【請求項３】
支点１０を有するレバー９を有し、レバー９の一端にワイヤー１１を固定し、ワイヤー１１の他端は押し下げ板７に固定され、レバー９の他端には一端が装置本体等に固定されたばね１２の他端が固定され、ばね１２は引っ張り作用を行なうばね１２であることを特徴とする請求項１及び請求項２記載の転倒ピンの起立装置。
【請求項４】
細長い基台１の長手方向の一方の端に支柱１４を設け、支柱上部１５より基台面１３に向けて斜面状に設置され、支柱上部１５に左右方向への回動自在に固定した概Ｕ字形状の発射部１６を有し、細長い基台１の長手方向の他方の端には請求項２の転倒ピンの起立装置を有することを特徴とする遊具。
【請求項５】
支点を有するレバー９を有し、基台１の下部と押し下げ板７に固定された複数の引っ張り作用を行なうばね１８を有し、押し下げ板７に固定され、滑車１７を介してレバー９の一端に固定されたワイヤー１１を有することを特徴とする請求項４記載の遊具。
【発明の詳細な説明】
【技術分野】
【０００１】    本発明はミニボーリングゲーム等における装置において、起立していたピンが転倒した場合に、ピンを容易に起立させることが可能な転倒ピンの起立装置並びにその装置を応用した遊具の構造に関する。
【背景技術】
【０００２】  従来のピンの起立装置には、箱型構造体の上部にピンを整列して挿入し、整列したピンをレバー等の操作により下降させて所定の位置に配列する構造で、遊戯に用いられる複数のピンを所定の配列位置に起立状態で配列するためのピン設定装置がある（特許文献１及び特許文献２参照）。また、ゲートボールで使用するスティックとボールを使用することにより、ボーリングゲームにゲートボールの要素を取り入れ、狭いスペースでだれでも手軽に遊べるスティックボーリングがある（特許文献３参照。）。
【特許文献１】特開２００１−２３１９０７
【特許文献２】特開２００１−１７８８６６
【特許文献３】実開平５−３３７６２
【発明の開示】
【発明が解決しようとする課題】
【０００３】  特許文献１及び特許文献２のピン設定装置は、箱型構造体の上部半分にピンを整列させた後にレバー等の操作によりピンを下降させて所定の位置にピンを配列させる構造であるため、ピンを整列させるための上部スペースとピンを配列させる下部スペースが必要であるため、装置が大きく、整列と配列のための構造が複雑になるといった課題を有する。【０００４】  又、装置が大きく、構造が複雑であり、重量も重くなるため、持ち運びが容易でなく移動性に不便といった課題を有する。【０００５】特許文献３のスティックボーリングは狭いスペースで容易にゲームができる遊具であるが、ゲートボールで使用するスティックとボールを使用するため保育園児や小学校低学年の幼児が行なうには技術的に難しい面があり、幼児には不向きな遊具であるといった課題を有する。
【課題を解決するための手段】
【０００６】  本発明の転倒ピンの起立装置は、基台の穴２を有する基台１と、基台１の上部に配置された中空のピン３と、中空のピンの底部４に固定された一端に錘（６）を固定したワイヤー５と、基台１と錘６の間にはワイヤー５を通す穴部８を有する押し下げ板７を有することを特徴とする。【０００７】  又、複数の基台の穴２を有する１枚の基台１と、基台１の上部に配置された複数の中空のピン３と、複数の中空のピン３のそれぞれの底部４に固定された一端に錘６を固定したワイヤー５と、基台１と錘６の間にはワイヤー５を通す複数の穴部８を有する一枚の押し下げ板７を有することを特徴とする。【０００８】  さらには、支点１０を有するレバー９を有し、レバー９の一端にワイヤー１１を固定し、ワイヤー１１の他端は押し下げ板７に固定され、レバー９の他端には一端が装置本体等に固定されたばね１２の他端が固定され、ばね１２は引っ張り作用を行なうばね１２であることを特徴とする。【０００９】  本発明の遊具は、細長い基台１の長手方向の一方の端に支柱１４を設け、支柱上部１５より基台面１３に向けて斜面状に設置され、支柱上部１５に左右方向への回動自在に固定した概Ｕ字形状の発射部１６を有し、細長い基台１の長手方向の他方の端には前記説明した転倒ピンの起立装置を有することを特徴とする。【００１０】  又、支点を有するレバー９を有し、基台１の下部と押し下げ板７に固定された複数の引っ張り作用を行なうばね１８を有し、押し下げ板７に固定され、滑車１７を介してレバー９の一端に固定されたワイヤー１１を有することを特徴とする請求項４記載の遊具。
【発明の効果】
【００１１】  本発明の転倒ピンの起立装置では、倒れた中空のピンの底部に固定したワイヤーにより倒れた中空のピンを引き起こして起立させる構造であるため、少ないスペースで構成でき、構造が簡単であるので装置も小さくてすむといった効果を有する。【００１２】  又、装置が小さく、構造が簡単であるため、重量も軽く、そのため持ち運びが容易で移動性が良好であるといった効果を有する。【００１３】  本発明の遊具は、支柱上部に配置された発射部よりボールの方向を定め、ボールを転がすだけの遊び方であると共に、中空のピンの起立もレバーの操作で容易に行なえる構造であるため、保育園児や小学校低学年の幼児でも容易にゲームを楽しむことが可能であり、幼児から大人まで幅広い年代層でゲームを楽しむことができるといった効果を有する。
【発明を実施するための最良の形態】
【００１４】  省スペースであり、構造が簡単、軽量で持ち運びが容易な転倒ピンの起立装置と、幼児から大人まで幅広い年代層でゲームを楽しむことができる遊具について、図面を参照して説明する。【００１５】  図１は転倒ピンの起立装置の構造断面図である。【００１６】  転倒ピンの起立装置の構造を説明する。【００１７】  ボール等が転がる平面状の基台１を有し、内部が空洞である中空のピン３の底部４には折れ曲がり自在のワイヤー５が固定され、固定されたワイヤー５の他端には適当な重量を有する錘６が固定され、中空のピン３と錘６を結ぶワイヤー５は基台１に開けられた基台の穴２と押し下げ板７に開けられた穴部８を貫通しており、押し下げ板７は支点１０を有するレバー９によりワイヤー１１を介して引き下げられ、レバー９の他端に配置された引っ張り作用を行なうばね１２により引き上げられる構造となっている。【００１８】  転倒ピンの起立装置の作用を説明する。【００１９】  中空のピン３が転倒した状態から、レバー９のばね１２が固定された端部を持ち上げれば、レバー９の支点１０を介して反対側の端部に固定されたワイヤー１１が下方に引っ張られ、ワイヤー１１に固定された押し下げ板７も下方に引っ張られることにより、錘６が下方に引き下げられ、錘６に固定されたワイヤー５を介して中空のピン３の底部４が引っ張られて中空のピン３は起立するのである。【００２０】  次にレバー９のばね１２が固定された端部を押し下げることにより、押し下げ板７はレバー９の反対側の端部により上方に押し上げられ、レバー９に固定された引っ張り作用を行なうばね１２の作用により固定されるのである。この時、中空のピン３は基台１の上に、錘６の重量により起立した状態で安定して固定されるのである。【００２１】  次に、ボール等が中空のピン３に当る作用により中空のピン３は転倒する。この時、転倒した中空のピン３はワイヤー５を介して錘６を持ち上げるが、錘６は軽量の中空のピン３が軽い振動や風により移動したり倒れない程度に中空のピン３を固定し、倒れた中空のピン３を自然に起立させることがないような重量に設定されているので、中空のピン３が転倒しても、中空のピン３は起立することなく、転倒したままになっているのである。【００２２】    転倒した中空のピン３を再び起立させるには、最初に戻って、レバー９のばね１２が固定された端部を持ち上げた後に押し下げることにより、中空のピン３は起立するのである。【００２３】  押し下げ板７の上下位置及びワイヤー５の長さは、押し下げ板７が下降し、錘６を押し下げた時に中空のピンが起立し、押し下げ板７が上昇した時には中空のピン３が確実に倒れるように、押し下げ板７の上下位置及びワイヤー５の長さは調節されている。【００２４】  以上説明したような構造と作用を行なう本発明の転倒ピンの起立装置を用いれば、倒れた中空のピン３を押し下げ板７によりワイヤー５を引っ張って中空のピン３を起立させる構造なので、構造が簡単であり、装置が小さく、重量も軽くでき、省スペースが可能となるのである。【００２５】  図２は複数の中空のピンを有する転倒ピンの起立装置の構成斜視図である。【００２６】  ボーリングゲームを想定した複数の中空のピンを有す��転倒ピンの起立装置の構造について説明する。なお、図２においてレバー９部の構造は図１と同じであるため図示を省略してある。【００２７】  ボール等が転がる平面状の基台１を有し、内部が空洞である複数の中空のピン３の底部４には折れ曲がり自在のワイヤー５がそれぞれ固定され、固定されたワイヤー５の他端には適当な重量を有する錘６が固定され、中空のピン３と錘６を結ぶワイヤー５は基台１に開けられた複数の基台の穴２と、１枚の押し下げ板７に開けられた複数の穴部８をそれぞれ貫通しており、押し下げ板７は支点１０を有する１個のレバー９により上下する構造となっている。【００２８】  前記複数の中空ピンを有する転倒ピンの起立装置の作用を説明する。【００２９】  複数の中空のピン３が転倒した状態から、レバー９のばね１２が固定された端部を持ち上げれば、レバー９の支点１０を介して反対側の端部に固定されたワイヤー１１が下方に引っ張られ、ワイヤー１１に固定された１枚の押し下げ板７も下方に引っ張られることにより、複数の錘６が下方に引き下げられ、錘６に固定されたワイヤー５を介して複数の中空のピン３の底部４が引っ張られて複数の中空のピン３は起立するのである。【００３０】  次にレバー９のばね１２が固定された端部を押し下げることにより、１枚の押し下げ板７はレバー９の反対側の端部により上方に押し上げられ、レバー９に固定された引っ張り作用を行なうばね１２の作用により固定されるのである。この時、複数の中空のピン３は基台１の上に、複数の錘６の重量により起立した状態で整列し、安定して固定されるのである。【００３１】次に、ボール等が複数の中空のピン３に当る作用により中空のピン３は転倒する中空のピン３と起立したままの中空のピン３が存在し、起立したままの中空のピン３は錘６の重量により安定して起立し、転倒した中空のピン３はワイヤー５を介して錘６を持ち上げる。この時、それぞれの錘６は起立している軽量の中空のピン３が軽い振動や風により移動したり倒れない程度に中空のピン３を固定し、倒れた中空のピン３は自然に起立させることがないような重量に設定されているので、転倒した中空のピン３は転倒したままに、起立したままの中空のピン３は起立したままになっているのである。【００３２】    転倒した複数の中空のピン３を再び起立させるには、最初に戻って、レバー９のばね１２が固定された端部を持ち上げた後に押し下げることにより、複数の中空のピン３は起立するのである。【００３３】  １枚の押し下げ板７の上下位置及びワイヤー５の長さは、押し下げ板７が下降し、錘６を押し下げた時に複数の中空のピンが起立し、押し下げ板７が上昇した時には複数の中空のピン３が確実に倒れるように、押し下げ板７の上下位置及びワイヤー５の長さは調節されている。【００３４】  以上説明したような構造と作用を行なう複数の中空のピン３を有する転倒ピンの起立装置を用いれば、倒れた中空のピン３のみを押し下げ板７によりワイヤー５を引っ張って中空のピン３を起立させる構造なので、構造が簡単であり、装置が小さく、重量も軽くでき、省スペースが可能となるのである。【００３５】  図３はボーリングゲームを想定した遊具の側面図である。【００３６】  ボーリングゲームを想定した遊具の構造について説明する。【００３７】  本発明の遊具は、細長い基台１の長手方向の一方の端に支柱１４を設け、支柱上部１５より基台面１３に向けて斜面状に設置され、支柱上部１５に左右方向への回動自在に固定した概Ｕ字形状の発射部１６を有し、細長い基台１の長手方向の他方の端には前記説明した転倒ピンの起立装置を有する構造となっている。【００３８】  又、支点を有するレバー９を有し、基台１の下部と押し下げ板７に固定された複数の引っ張り作用を行なうばね１８を有し、押し下げ板に固定され、滑車１７を介してレバー９の一端に固定されたワイヤー１１を有することを特徴とする。【００３９】  前記ボーリングゲームを想定した遊具の作用を説明する。図３において発射部１６を有する側を「手前側」と表現し、反対側を「奥側」と表現して説明する。【００４０】  レバー９の上部を奥側に押すことにより、ワイヤー１１が引っ張られて、滑車１７を介して押し下げ板７は下降し、錘６は下方向に引き下げられて錘６に固定されたワイヤー５を引っ張ることにより、１０本の中空のピン３は所定の位置に起立して整列する。【００４１】  １０本の中空のピン３が起立して整列したら、レバー９の上部を手前側に引くことにより、引っ張り作用を行なうばね１８の作用により押し下げ板７は上昇した状態で停止し、１０本の中空のピン３は起立して整列し、錘６と押し下げ板７の間は隙間ができ、中空のピン３転倒可能な状態で固定される。【００４２】  次に、支柱１４に支えられ、支柱上部１５に左右方向に回動自在に固定された概Ｕ字形状の発射部１６を左右に移動して狙いを定めた後に、ソフトボールやバレーボール等のボールを発射台（１４）より転がして発射すれば、ボールは発射部１６を転がった後に基台面１３を転がって中空のピン３に衝突して中空のピン３を転倒させるのである。【００４３】  ボールが衝突した中空のピン３と、転倒した中空のピン３が接触した他の中空のピン３が転倒するので、転倒した中空のピン３の数量により勝敗を決するのである。【００４４】  転倒した中空のピン３は、再度、最初に戻ってレバー９を奥側を押すことにより所定の位置に整列させ、次のゲームを行なうことができるのである。【００４５】  本発明の遊具は、中空のピン３の底部４にワイヤー５が固定されているので、本来のボーリングゲームのように１フレームに２回の投球を行なうことはできないようにも思われるが、実際にゲームを行なってみると、２回の投球によるゲームも可能である。【００４６】  一人の投球回数等のルールを決めることにより、１回の投球で何本のピン転倒させることができるかを争ったり、２回の投球で転倒したピンの数により勝敗を決めたり等、自由に投球回数を決めることによって、転倒したピンの合計得点により勝敗を競うことができるのである。【００４７】  図示していないが、基台１の左右側面に、奥側から手前側に向けて下り勾配となるようなＵ字状のボール返却具を装着すれば、発射されたボールが中空のピン３に衝突し、左右に落ちても、ボール返却具内に落ちて、ボールは発射部１６のある手前側に戻ってくるので、手際よく次のゲームを開始することができる。【００４８】  以上説明したように本発明の遊具は、支柱上部１５に配置された発射部１６よりボールの方向を定め、ボールを転がすだけの遊び方であり、中空のピン３の起立もレバー９の操作で容易に行なえる構造であるため、保育園児や小学校低学年の幼児でも容易にゲームを楽しむことが可能であり、幼児から大人まで幅広い年代層でゲームを楽しむことができるのである。
【図面の簡単な説明】
【図１】  転倒ピンの起立装置の構造断面図
【図２】  複数の中空のピンを有する転倒ピンの起立装置の構成斜視図
【図３】  ボーリングゲームを想定した遊具の側面図
【符号の説明】
１：基台
２：基台の穴
３：中空のピン
４：底部
５：ワイヤー
６：錘
７：押し下げ板
８：穴部
９：レバー
１０：支点
１１：ワイヤー
１２：ばね
１３：基台面
１４：支柱
１５：支柱上部
１６：発射部
１７：滑車
１８：ばね
【図１】
2008126027.tif 000003
【図２】
2008126027.tif 000004
【図３】
2008126027.tif 000005